(57)【要約】【課題】  デジタル放送の受信端末において、無料又は有料のスクランブル放送を受信するためには契約情報の入力、例えば、Ｂ−ＣＡＳカードのようなＩＣカードの挿入が必要であるが、スクランブル放送を行う事業体と契約を結ぶ所望のカードが１枚しかない場合においても、カードの差し替えを行わずに、所望の契約が結ばれている他のデジタル放送受信端末を用いての視聴を可能にする。【解決手段】  デジタル放送受信端末のＩＣカードを制御するＩＣカード制御装置１に、通信機能を持たせることにより、他のデジタル放送受信端末のＩＣカード制御装置２との通信を行い、ＩＣカード３の共有を可能とすることで、１枚の契約カードを用いて、複数のデジタル放送受信端末における視聴を可能とする。【選択図】      図１
2006148481.tif 000002
【特許請求の範囲】
【請求項１】
未契約のデジタルＴＶ放送の受信信号に対して視聴制限を施し、外部から入力する契約情報から前記契約に基づく前記視聴制限を解除する解除情報を抽出し出力する解除手段を有し、前記解除手段から得られる前記解除情報に基づいてＣＰＵが前記受信信号の処理を行うデジタルＴＶ用受信制御装置において、
前記自己のデジタルＴＶ用受信制御装置の前記解除手段が出力する第１の前記解除情報、及び前記第１の解除情報に基づいて自己の前記ＣＰＵから得られる第１の前記解除情報の使用状況を、前記自己のデジタルＴＶ用受信制御装置から他のデジタルＴＶ用受信制御装置へ送信する送信手段と、
前記他のデジタルＴＶ用受信制御装置の前記解除手段が出力する第２の前記解除情報、及び前記第２の解除情報に基づいて前記他のデジタルＴＶ用受信制御装置の前記ＣＰＵから得られる第２の前記解除情報の使用状況を、前記他のデジタルＴＶ用受信制御装置から受信する受信手段と、
前記第１の解除情報の使用状況、及び前記送信手段及び前記受信手段を備えた前記他のデジタルＴＶ用受信制御装置との間で行う通信により得られる前記第２の解除情報の使用状況を記憶する状態記憶手段とを備え、
前記自己及び他のデジタルＴＶ用受信制御装置のそれぞれの前記状態記憶手段に記憶された前記第１及び第２の解除情報の使用状況に応じて、通信により、前記他のデジタルＴＶ用受信制御装置が有する前記第２の解除情報を受信する
ことを特徴とするデジタルＴＶ用受信制御装置。
【請求項２】
請求項１記載のデジタルＴＶ用受信制御装置において、
前記解除手段は、ＩＣカードを媒体として入力される前記契約情報から前記解除情報を抽出し出力するＩＣカード情報読み取り手段であり、
前記第１及び第２の解除情報の使用状況は、前記自己及び他のデジタルＴＶ用受信制御装置のそれぞれに対応する第１及び第２の前記ＩＣカードの使用状況であり、
前記送信手段が送信する前記第１の解除情報及び前記第１のＩＣカードの使用状況の送信データを暗号化するための暗号化手段と、
前記受信手段が受信する前記第２の解除情報及び前記第２のＩＣカードの使用状況の受信データを複合化するための復号化手段とを備える
ことを特徴とするデジタルＴＶ用受信制御装置。
【請求項３】
請求項１記載のデジタルＴＶ用受信制御装置において、
前記通信時に、前記状態記憶手段に記憶された前記第１及び第２の解除情報の使用状況に応じて、前記第１及び第２の解除情報の通信に制限を加える
ことを特徴とするデジタルＴＶ用受信制御装置。
【請求項４】
未契約のデジタルＴＶ放送の受信信号に対して視聴制限を施し、外部から入力する契約情報から前記契約に基づく前記視聴制限を解除する解除情報を抽出し出力する解除装置から前記解除信号を受けてＣＰＵが前記受信信号の処理を行うデジタルＴＶ用受信制御方法において、
前記自己のデジタルＴＶ用受信制御装置の前記解除装置が出力する第１の前記解除情報、及び前記第１の解除情報に基づいて自己の前記ＣＰＵから得られる第１の前記解除情報の使用状況を、前記自己のデジタルＴＶ用受信制御装置から他のデジタルＴＶ用受信制御装置へ送信、又は、前記他のデジタルＴＶ用受信制御装置の前記解除装置が出力する第２の前記解除情報、及び前記第２の解除情報を前記他のデジタルＴＶ受信制御装置の前記ＣＰＵから得られる第２の前記解除情報の使用状況を、前記他のデジタルＴＶ用受信制御装置から受信する送受信ステップと、
前記他のデジタルＴＶ用受信制御装置に対して前記送受信による通信を行う際に、前記第１の解除情報の使用状況及び前記第２の解除情報の使用状況を記憶する状態記憶ステップと、
前記状態記憶ステップで記憶された前記第１及び第２の解除情報の使用状況に応じて、前記解除情報の通信に制限を加えることにより視聴制御を行う視聴制御ステップとを含む
ことを特徴とするデジタルＴＶ用受信制御装方法。
【請求項５】
請求項４記載のデジタルＴＶ用受信制御方法において、
前記解除装置は、ＩＣカードを媒体として入力される前記契約情報から前記解除情報を抽出し出力するものであり、
前記解除情報の使用状況は、第１及び第２の前記ＩＣカードの使用状況である
ことを特徴とするデジタルＴＶ用受信制御方法。
【発明の詳細な説明】
【技術分野】
【０００１】
本発明は、ＡＲＩＢ対応放送のような、契約によりサービスを受けることができるデジタル放送の受信機において、契約情報を入力することによりスクランブル解除を行うデジタルＴＶ用受信制御装置及び受信制御方法に関する。
【背景技術】
【０００２】
今日では、例えば、ＡＲＩＢ対応デジタル放送のようなデジタル放送を受信し、視聴する際には、有料放送又は無料放送に関わらず、株式会社Ｂ−ＣＡＳが発行するＩＣカードを受信機に用いることが必要となる。そして、このＩＣカードは、デジタル放送受信端末１台につき必ず１枚必要となる。この従来のデジタル放送受信端末の構成を図６に示す。
【０００３】
図６は、従来のＩＣカード制御装置を有するデジタル放送受信端末について、ＩＣカードが挿入されている場合と挿入されていない場合との２つの状態を示している。ここで、３６及び３７は、それぞれデジタル放送受信端末であり、デジタル放送受信端末３６は、ＩＣカード制御装置３０の制御により視聴制御され、デジタル放送受信端末３７は、ＩＣカード制御装置３１の制御により視聴制御される。また、３４及び３５は、ＩＣカードスロットであり、視聴制限を解除するための契約情報が記録されたＩＣカード３３が挿入されたとき、視聴可能とする解除信号を出力し、この解除信号を受けたＩＣカード制御装置３０及び３１は、デジタル放送受信端末３６及び３７を視聴可能な状態に制御する。図６において、ＩＣカードスロット３４には、視聴制限を解除するための契約情報が記録されたＩＣカード３３が挿入され、デジタル放送受信端末３６が視聴可能となっている状態を示しており、一方、ＩＣカードスロット３５には、視聴制限を解除するためのＩＣカード３３がＩＣカードスロット３５に挿入されていないためＩＣカード制御装置３１に解除を許可する解除信号が入力されず、デジタル放送受信端末３７が視聴不可能な状態であること示している。
【０００４】
また、ＰＰＶ（Ｐａｙ  Ｐｅｒ  Ｖｉｅｗ）番組は、同一時間帯に異なるコンテンツを録画することが出来る。ＰＰＶ番組は、その都度課金されるので、同一時間帯に異なるコンテンツを複数購入して録画することは、放送事業体にとってもユーザーの購入機会が増えることことになり望ましいことである。
【０００５】
上記のような、契約情報を記録したＩＣカードを用いた視聴制御による受信機の技術は、例えば、特許文献１に記載がある。
【特許文献１】特開２００３−３１９３６２号公報
【発明の開示】
【発明が解決しようとする課題】
【０００６】
しかしながら、上記図６に示したような従来の受信装置においては、ＡＲＩＢ対応デジタル放送のように、コンテンツをコピーする際に、コピーした記録媒体のダビングが出来ないようにコピーワンス信号が付加されるシステムが採用される場合、このコピーワンス信号が付加された一度のみの録画を行うには、もし、ユーザーが複数の受信機を有している場合は、ユーザーが、複数の受信機に対応した記録媒体の中から適当なものを選定しておかなければならない。この場合、ユーザーは、記録を行おうとする記録媒体を有するシステムの受信機にＩＣカードを差し替えなければならず、ＩＣカードの抜き差しといった面倒な操作を強いられる。
【０００７】
また、近年では、ＴＶを一家で複数所有する家庭が大半を占めると考えられ、現行の受信機毎に対応したＩＣカードを必要とするシステムにおいて、各々のＴＶで受信をする際、上記のように面倒なＩＣカードの抜き差しをしなくても済むようにするためには、一家で同一放送事業体との同一契約を各受信機に対して複数結ぶ必要が生じ、非経済的である。
【０００８】
更に、ＰＰＶ番組の異なる複数のコンテンツを同一時間帯に録画するには、同時録画機能を有するような高級機を用いなければならない。
【０００９】
本発明は、上記従来の課題を解決するものであり、１つの受信契約があり、この契約情報の入力（例えば、ＩＣカードを抜き差しして他の受信機に用いる等）を行えば視聴可能となる受信機も他に有する場合、この他に有する受信機に対しては、面倒な契約情報の入力を新たに行わずして、しかも契約の範囲を逸脱しない視聴サービスを受けることを目的とする。
【課題を解決するための手段】
【００１０】
上記目的を達成するために、本発明では、デジタルＴＶ用受信機の構成要素であって、契約情報に基づき視聴制限を解除するために解除手段から出力される解除信号を受けることにより視聴制御を行う受信制御装置に機器間の通信を行う通信機能を持たせる。そして、他のデジタルＴＶ用受信機が有する受信制御装置との通信により、他のデジタルＴＶ用受信機に入力された契約情報から得られた視聴制限を解除する解除信号を入手し、直接に契約情報を入力しない自己のデジタルＴＶ用受信機において受信可能とする。
【００１１】
すなわち、請求項１記載の発明のデジタルＴＶ用受信制御装置は、未契約のデジタルＴＶ放送の受信信号に対して視聴制限を施し、外部から入力する契約情報から前記契約に基づく前記視聴制限を解除する解除情報を抽出し出力する解除手段を有し、前記解除手段から得られる前記解除情報に基づいてＣＰＵが前記受信信号の処理を行うデジタルＴＶ用受信制御装置において、前記自己のデジタルＴＶ用受信制御装置の前記解除手段が出力する第１の前記解除情報、及び前記第１の解除情報に基づいて自己の前記ＣＰＵから得られる第１の前記解除情報の使用状況を、前記自己のデジタルＴＶ用受信制御装置から他のデジタルＴＶ用受信制御装置へ送信する送信手段と、前記他のデジタルＴＶ用受信制御装置の前記解除手段が出力する第２の前記解除情報、及び前記第２の解除情報に基づいて前記他のデジタルＴＶ用受信制御装置の前記ＣＰＵから得られる第２の前記解除情報の使用状況を、前記他のデジタルＴＶ用受信制御装置から受信する受信手段と、前記第１の解除情報の使用状況、及び前記送信手段及び前記受信手段を備えた前記他のデジタルＴＶ用受信制御装置との間で行う通信により得られる前記第２の解除情報の使用状況を記憶する状態記憶手段とを備え、前記自己及び他のデジタルＴＶ用受信制御装置のそれぞれの前記状態記憶手段に記憶された前記第１及び第２の解除情報の使用状況に応じて、通信により、前記他のデジタルＴＶ用受信制御装置が有する前記第２の解除情報を受信することを特徴とする。
【００１２】
請求項２記載の発明は、請求項１記載のデジタルＴＶ用受信制御装置において、前記解除手段は、ＩＣカードを媒体として入力される前記契約情報から前記解除情報を抽出し出力するＩＣカード情報読み取り手段であり、前記第１及び第２の解除情報の使用状況は、前記自己及び他のデジタルＴＶ用受信制御装置のそれぞれに対応する第１及び第２の前記ＩＣカードの使用状況であり、前記送信手段が送信する前記第１の解除情報及び前記第１のＩＣカードの使用状況の送信データを暗号化するための暗号化手段と、前記受信手段が受信する前記第２の解除情報及び前記第２のＩＣカードの使用状況の受信データを複合化するための復号化手段とを備えることを特徴とする。
【００１３】
請求項３記載の発明は、請求項１記載のデジタルＴＶ用受信制御装置において、前記通信時に、前記状態記憶手段に記憶された前記第１及び第２の解除情報の使用状況に応じて、前記第１及び第２の解除情報の通信に制限を加えることを特徴とする。
【００１４】
請求項４記載の発明のデジタルＴＶ用受信制御方法は、未契約のデジタルＴＶ放送の受信信号に対して視聴制限を施し、外部から入力する契約情報から前記契約に基づく前記視聴制限を解除する解除情報を抽出し出力する解除装置から前記解除信号を受けてＣＰＵが前記受信信号の処理を行うデジタルＴＶ用受信制御方法において、前記自己のデジタルＴＶ用受信制御装置の前記解除装置が出力する第１の前記解除情報、及び前記第１の解除情報に基づいて自己の前記ＣＰＵから得られる第１の前記解除情報の使用状況を、前記自己のデジタルＴＶ用受信制御装置から他のデジタルＴＶ用受信制御装置へ送信、又は、前記他のデジタルＴＶ用受信制御装置の前記解除装置が出力する第２の前記解除情報、及び前記第２の解除情報を前記他のデジタルＴＶ受信制御装置の前記ＣＰＵから得られる第２の前記解除情報の使用状況を、前記他のデジタルＴＶ用受信制御装置から受信する送受信ステップと、前記他のデジタルＴＶ用受信制御装置に対して前記送受信による通信を行う際に、前記第１の解除情報の使用状況及び前記第２の解除情報の使用状況を記憶する状態記憶ステップと、前記状態記憶ステップで記憶された前記第１及び第２の解除情報の使用状況に応じて、前記解除情報の通信に制限を加えることにより視聴制御を行う視聴制御ステップとを含むことを特徴とする。
【００１５】
請求項５記載の発明は、請求項４記載のデジタルＴＶ用受信制御方法において、前記解除装置は、ＩＣカードを媒体として入力される前記契約情報から前記解除情報を抽出し出力するものであり、前記解除情報の使用状況は、第１及び第２の前記ＩＣカードの使用状況であることを特徴とする。
【００１６】
以上により、請求項１〜５記載の発明では、デジタルＴＶ用受信制御装置が他のデジタルＴＶ用受信制御装置と通信することにより、契約内容に基づく視聴制限の許可を行う解除情報や、ＣＰＵから得られる情報であり、それぞれの受信機が現在視聴している状況を示す解除情報の使用状況を送受信することができるので、自己の受信機に対して直接解除情報を含む契約情報の入力がなくとも、受信機器間の通信により、所望の契約情報の入力されている他の受信機から解除情報を受けることができ、また、前記所望の契約内容に応じて解除情報の通信を制御できるので、その送信元の受信機が有する前記所望の契約情報に応じた、契約の範囲内の視聴又は録画を行うことができる。
【００１７】
従って、契約情報の入力がＩＣカードを媒体として行われる場合、ＩＣカードの持つ契約内容等の情報を他の受信機が受信機間の通信により受け取ることができるので、ＩＣカードを抜き差しせずに他の受信機を用いて視聴又は録画を行うことが可能となり、面倒な操作や非経済的な重複契約を回避できる。更に、同時録画が許される放送に対しては、単一機器に同時複数録画機能を持たせたような高級機を用いずとも、通信により他の受信機の録画機能を流用することができて経済的である。
【発明の効果】
【００１８】
以上に説明したように、請求項１〜５記載の発明によれば、例えば、ＩＣカードの有する契約情報を複数の受信機間で共有することができるので、使用者にＩＣカードを意識させない柔軟な運用の実現が可能であり、また、制限解除の情報と共に視聴の状況を示す情報及び視聴の契約範囲を示す契約情報をも通信するので、例えば、１つのＦＬＡＴ契約に対して複数で視聴するといった行為の禁止を実現することができる。
【００１９】
また、機器間の通信により、複数同時録画が可能な高級機を用いずとも、ＰＰＶ番組での同一時間帯における異なるコンテンツを複数の受信機を流用して購入することができ、コンテンツ利用の自由度を高めることを可能にすると共に、ユーザーのＰＰＶ購入の機会を増やすことにより、事業者の収益性の向上を実現することも可能となる。
【発明を実施するための最良の形態】
【００２０】
（第１の実施の形態）
以下、本発明における第１の実施の形態について、図面を参照しながら説明する。図１は本発明のデジタルＴＶ用ＩＣカード制御装置（デジタルＴＶ用受信制御装置）の周辺構成を示した概略図である。１はデジタルＴＶ用ＩＣカード制御装置（以下、ＩＣカード制御装置という。）であって、未契約のデジタルＴＶ放送の受信に対して視聴制限を施し、この制限を解除する情報を含む契約情報が入力されると視聴制限が解除するよう受信信号の処理を行うＣＰＵを制御する。２は他の個体のＩＣカード制御装置であり、１と２とは互いに同一構造の他個体である。３はＢ−ＣＡＳカードと呼称されるＩＣカードであり、スクランブル放送を視聴するために契約情報から得られる鍵の情報（解除情報）が記録されている。本実施の形態において、前記ＩＣカード制御装置１及び２は、ＩＣカード３に記録された上記契約情報に基づき、受信信号の処理を行うＣＰＵを制御する。４はＩＣカード３を挿入するためのＩＣカードスロット（解除手段、ＩＣカード情報読み取り手段）であり、ＩＣカード３の持つ鍵の情報（第１の解除情報）を読み出し、この読み出した鍵情報に基づいて、視聴制限の解除を許可する解除信号を上記ＩＣカード制御装置１へ出力する。５は他の個体のＩＣカードスロットでありＩＣカードスロット４と他のＩＣカードスロット５とは同一構造の他個体である。また、ＩＣカードスロット５の出力する解除信号は、ＩＣカード制御装置２に入力される。６は前記ＩＣカード制御装置１及びＩＣカードスロット４を内蔵し、ＩＣカード制御装置１による制御を受けるデジタル放送受信端末である。７はＩＣカード制御装置２とＩＣカードスロット５とを内蔵し、ＩＣカード制御装置２による制御を受ける、他の個体のデジタル放送受信端末である。
【００２１】
ここで、図１はＩＣカード制御装置１と２とが通信を行っている状態を示している。図１に示すように、ＩＣカード制御装置１及び２は、他の個体のＩＣカード制御装置と通信を行うことが可能である。
【００２２】
図２は図１に示したＩＣカード制御装置１の構造図である。８はＩＣカード制御装置１に内蔵された通信部（送信手段及び受信手段）であり、同一構成の他のデジタル放送受信端末の有するＩＣカード制御装置に内蔵された通信部と送受信を行う。９はメモリ部（状態記憶手段）であり、ＩＣカード３の使用状況を示すステータス情報をＩＣカード制御装置１に保存する。このステータス情報は、他のデジタル放送受信端末におけるＩＣカード制御装置からの問い合わせ時に、前記通信部８を介して他のデジタル放送受信端末へ送信される。更に、メモリ部９は、他のデジタル放送受信端末のステータス情報を前記通信部８を介して受信し、保存する。１０は前記通信部８を通じて外部と通信する際に通信信号を暗号化／復号化するための暗復号化部である。１１はＩＣカードスロット４に挿入されたＩＣカード３との通信を行うＩＣカードＩ／Ｆ部である。１２はデジタル放送受信端末６の全体を制御するＣＰＵとの通信を行うＣＰＵ  Ｉ／Ｆ部である。１３はＩＣカード制御部であって、ＩＣカード制御装置１において、ＣＰＵ  Ｉ/Ｆ部１２を介してＣＰＵとの通信を行い、ＩＣカードＩ/Ｆ部１１から得られるＩＣカード３の情報に基づき、受信信号の処理を行うＣＰＵを制御する。
【００２３】
従来のＩＣカード制御装置は、上記のような通信部８、メモリ部９、暗復号化部１１は備えず、上記ＩＣカードＩ/Ｆ部１１、ＣＰＵ  Ｉ/Ｆ部１２、及びＩＣカード制御部１３に相当する構成のみである。
【００２４】
図３は、図２に示したＩＣカード制御装置を有する２つのデジタル放送受信端末２４及び２５を示しており、両者は同一構造である。そして、２６及び２７は、デジタル放送受信端末２４及び２５がそれぞれ有しているＩＣカード制御装置である。１４はＩＣカードの制御部であり、１６は通信部であり、１８はメモリ部であり、また、２０は暗復号化部である。前記制御部１４、通信部１６、メモリ部１８、暗復号化部２０はそれぞれデジタル放送受信端末２４に内蔵されたＩＣカード制御装置２６に含まれる。１５はＩＣカードの制御部であり、１７は通信部であり、１９はメモリ部であり、また、２１は暗復号化部である。前記制御部１５、通信部１７、メモリ部１９、暗復号化部２１はそれぞれ前記デジタル放送受信端末２５に内蔵されたＩＣカード制御装置２７に含まれる。本実施の形態では、２２は、視聴した分の料金を支払うＰａｙＰｅｒＶｉｅｗ（以下、ＰＰＶ）方式の契約がなされているＩＣカードであり、デジタル放送受信端末２４のＩＣカードＩ/Ｆ部２８に、その契約情報が入力される。また、２３は、定額料金で指定サービスが受信できる方式であるＦＬＡＴ契約がなされているＩＣカードであり、デジタル放送受信端末２５のＩＣカードＩ/Ｆ部２９に、その契約情報が入力される。尚、ここでは、ＩＣカードに基づく情報がＩＣカードＩ/Ｆ部２８及び２９に入力される状態を示しているが、図１のＩＣカードスロット４又は５は省略して示している。
【００２５】
以上のように構成された本発明の実施の形態において、デジタルＴＶ用ＩＣカード制御装置の動作を図４及び図５を用いて説明する。図４は、図３のデジタル放送受信端末２４の構成におけるアルゴリズム例であり、また、図５は図３のデジタル放送受信端末２５の構成におけるアルゴリズム例である。
【００２６】
図４に示すように、デジタル放送受信端末２４がＦＬＡＴ番組を視聴する場合、先ず、ＦＬＡＴ契約に基づく視聴制限を解除するためのＩＣカードが自機のＩＣカードスロット（解除手段又はＩＣカード情報読み取り手段）に存在するか否かを判定する（Ｓ１０１）。本実施の形態では、図３に示すように自己のＩＣカード２２が存在するので、このＩＣカード２２が保持しＩＣカードスロットから得られる契約内容（ＩＣカードの有する契約情報）がＦＬＡＴ契約であるか否かをＩＣカード２２に対して問い合わせ、ＦＬＡＴ番組の視聴の可否を確認する（Ｓ１０２）。そして、自機についてそのレスポンスを判定し、ここでは、ＩＣカード２２がＰＰＶ契約なので、このＰＰＶ契約に対する鍵の情報（第１の解除情報）しか有していないため視聴不可と判断し（Ｓ１０３）、更に、他の個体、すなわち、本実施の形態では、デジタル放送受信端末２５の他のＩＣカード２３を使用することが可能かどうかを確認するために、デジタル放送受信端末２４のＩＣカード制御装置（自己のデジタルＴＶ用受信制御装置）２６は、デジタル放送受信端末２５のＩＣカード制御装置（他のデジタルＴＶ用受信制御装置）２７との暗号化通信を確立させる（Ｓ１０５）。具体的には、先ず、ＩＣカード制御装置２７への送信信号の暗号化のために暗復号化部（暗号化手段）２０において暗号化処理を行い（Ｓ１０５ａ）、自機の通信部（送信手段）１６を用いて通信先の通信部（受信手段）１７へ暗号化通信確立のための所定の信号を送信し（Ｓ１０５ｂ）、そして、通信先において、ＩＣカード制御装置２７が受信信号を暗復号化部（復号化手段）２１において復号化することにより暗号化通信が確立する（Ｓ１０５ｃ）。暗号化通信の確立後、ＩＣカード２３へ視聴の可否を問い合わせ（Ｓ１０６）、他のＩＣカード２３の契約情報に対するレスポンス判定を行う（Ｓ１０７）。本実施の形態では他のＩＣカード２３はＦＬＡＴ契約の情報を有しているので、他の受信機により使用中でなければ視聴可であるため、他の受信機による使用状況を知るためのステップに移行する。
【００２７】
次に、前記の問い合わせのステップ（送受信ステップ）Ｓ１０６にて受信した、メモリ部（状態記憶部）１８に記録されているＩＣカード２３の契約情報を確認する（Ｓ１０９）。この場合、ＩＣカード２３に対しては、ＦＬＡＴ契約がなされているので、他機であるデジタル放送受信端末２５が有する他のＩＣカード２３の契約情報に含まれる鍵の情報（第２の解除情報）を用いれば自機のデジタル放送受信端末２４により視聴することができるが、ＦＬＡＴ契約では一台のＴＶでしか視聴できないように制限されているので、視聴中に突然他の受信機によりＦＬＡＴ契約に基づく視聴の権利を奪われないように排他処理する必要がある。デジタル放送受信端末２４が他のデジタル放送受信端末２５に挿入されているＩＣカード２３を利用してＦＬＡＴ契約の放送を視聴できるかどうかは、ＩＣカード２３のＦＬＡＴ契約の利用状況に依存するため、このＩＣカード２３の有する鍵の情報（第２の解除情報）を利用し、排他的に状態を保持するようにメモリ部（状態記憶部）１９の自カード２３に対するステータス情報へＦＬＡＴ契約の利用状況を、すなわち、デジタル放送受信端末２５の有するＩＣカード２３の使用状況に対して、（デジタル放送受信端末２５から見て他の）デジタル放送受信端末２４が使用していることを示す「他ＴＶ使用中」（第２の解除情報の使用状況）を書き込む（状態記憶ステップ）（Ｓ１１０）。また、自己のメモリ部１８の他カード２３に対するステータス情報へＦＬＡＴ契約の利用状況を、すなわち、自己のデジタル放送受信端末２４が他のデジタル放送受信端末２５の有するＩＣカード２３の使用状況に対して、自機が上記暗号化通信を通じて使用していることを示す「自ＴＶ使用中」（第２の解除情報の使用状況）を書き込む（状態記憶ステップ）（Ｓ１１１）。このような処理により、デジタル放送受信端末２４もデジタル放送受信端末２５も、それぞれがメモリ部１８及び１９に記憶するＩＣカード使用状況に基づいて、どのカードのＦＬＡＴ契約を現在どの受信機が利用しているかを他機について前記レスポンス判定を行うステップ（Ｓ１０７）にて判別し、契約内容に沿わない場合は、他のデジタル放送受信端末から得られる鍵の情報の通信を制御することにより、ここで排他（視聴制御ステップ）できる。
【００２８】
以上のように本実施の形態によれば、複数のデジタル放送受信端末のうち、放送事業体とのＦＬＡＴ契約がされているカードを例え１枚しか所有していなくとも、その契約の範囲内で、すなわち、複数が同時に視聴しないように制御すれば、ＦＬＡＴ契約のＩＣカードが挿入されていないデジタル放送受信端末においても視聴可能となる。
【００２９】
（第２の実施の形態）
次に、本発明における第２の実施の形態について、図５を用いて説明する。図５に示すように、デジタル放送受信端末２５がＰＰＶ番組を視聴する場合、先ず、ＰＰＶ契約に基づく視聴制限を解除するためのＩＣカードが自機（本実施の形態では、デジタル放送受信端末２５）のＩＣカードスロット（解除手段又はＩＣカード情報読み取り手段）に存在するか否かを判定する（Ｓ２０１）。本実施の形態では、図３に示すように自己のＩＣカード２３が存在するので、このＩＣカード２３が保持しＩＣカードスロットから得られる契約内容がＰＰＶ契約であるか否かをＩＣカード２３に対して問い合わせ、ＰＰＶ番組の視聴の可否を確認する（Ｓ２０２）。そして、自機についてそのレスポンスを判定し、ここでは、自己のＩＣカード２３がＦＬＡＴ契約なので、このＦＬＡＴ契約に対する鍵の情報（本実施の形態における第１の解除情報）しか有しておらず、ＰＰＶ番組を視聴できないと判断し（Ｓ２０３）、更に、他の個体、すなわち、本実施の形態では、デジタル放送受信端末２４のＩＣカード２２を使用することが可能かどうかを確認するために、デジタル放送受信端末２５のＩＣカード制御装置（自己のデジタルＴＶ用受信制御装置）２７は、デジタル放送受信端末２４のＩＣカード制御装置２６（他のデジタルＴＶ用受信制御装置）との暗号化通信を確立させる（Ｓ２０５）。具体的には、先ず、ＩＣカード制御装置２６への暗号化通信を確立するための所定の送信信号の暗号化のために暗復号化部（暗号化手段）２１において暗号化処理を行い（Ｓ２０５ａ）、自機の通信部（送信手段）１７を用いて通信先の通信部（受信手段）１６へ送信し（Ｓ２０５ｂ）、通信先において、ＩＣカード制御装置２６が暗号化通信確立のための所定の受信信号を暗復号化部（復号化手段）２０において復号化することにより暗号化通信が確立する（Ｓ２０５ｃ）。暗号化通信が確立後、ＩＣカード２２へ視聴の可否を問い合わせ（Ｓ２０６）、他機の有するＩＣカードについてのレスポンス判定を行い（Ｓ２０７）、視聴可を得る（視聴制御ステップ）。
【００３０】
次に、前記の問い合わせのステップ（送受信ステップ）Ｓ２０６にて受信した、メモリ部１９に記録されている他のＩＣカード２２の契約情報を確認する（Ｓ２０９）。この場合、ＩＣカード２２に対しては、ＰＰＶ契約がなされているので、他機であるデジタル放送受信端末２４が有する他のＩＣカード２２の契約情報に含まれる鍵の情報（第２の解除情報）を用いれば自機のデジタル放送受信端末２５により視聴を開始できる（Ｓ２０４）。
【００３１】
ここではＩＣカード制御装置２６及び２７間の通信について、通信媒体を指定していないが、電波や光による無線、有線の通信媒体が考えられる。
【００３２】
尚、本実施の形態ではＩＣカード制御装置内のハードウェアで処理を行うことを想定しているが、外部の装置、またはソフトウェアで行うことも考えられる。
【００３３】
以上のように本実施の形態によれば、複数のデジタル放送受信端末のうち、放送事業体との特定の契約がされているカードが例え１枚であっても、その契約の範囲内で複数のデジタル放送受信端末がＰＰＶ番組のコンテンツを同時に視聴可能とすることが出来る。また、同一時間帯のＰＰＶ番組の購入が可能になることにより、ユーザー利便性だけでなく、事業者利益にもつながる。
【００３４】
尚、本実施の形態では、契約情報等を有する記録媒体としてＩＣカードを用いる例を示したが、これに限らず、他の記録媒体を用いることも可能である。
【産業上の利用可能性】
【００３５】
本発明にかかるデジタルＴＶ用受信制御装置及び受信制御方法は、使用者にＩＣカード等の契約情報が記録された記録媒体を意識させない柔軟な運用の実現や、１つのＦＬＡＴ契約に対して複数で視聴するといった行為の禁止を実現することができ、また、ＰＰＶ番組での同一時間帯における異なるコンテンツを購入することができるようにユーザーの自由度を高めることを可能にすると共に、ユーザーのＰＰＶ購入の機会を増やすことにより、事業者の収益性の向上を実現することが可能であり、ＩＣカード等を用いて契約情報を入力することによりスクランブル解除を行うデジタルＴＶ用受信制御装置等に有用である。
【図面の簡単な説明】
【００３６】
【図１】本発明のＩＣカード制御装置による通信を示した概略図である。
【図２】本発明のＩＣカード制御装置の構造図である。
【図３】本発明のＩＣカード制御装置の動作例説明図である。
【図４】本発明のＩＣカード制御装置間の通信動作において、ＰＰＶ契約に対応のＩＣカード制御装置の動作アルゴリズム例を示すフロー図である。
【図５】本発明のＩＣカード制御装置間の通信動作において、ＦＬＡＴ契約に対応のＩＣカード制御装置の動作アルゴリズム例を示すフロー図である。
【図６】従来のＩＣカード制御装置及びデジタル放送受信端末の概略図である。
【符号の説明】
【００３７】
１、２、２６、２７
、３０、３１            ＩＣカード制御装置
（自己又は他のデジタルＴＶ用受信制御手段）
３、２２、２３、３３        ＩＣカード（Ｂ−ＣＡＳカード）
４、５                      ＩＣカードスロット
６、７                      デジタル放送受信端末
８、１６、１７              通信部（送信手段及び受信手段）
９、１８、１９              メモリ部（状態記憶手段）
１０、２０、２１            暗復号化部（暗号化手段及び復号化手段）
１１、１２、２８、２９      ＩＣカードＩ／Ｆ部
１３、１４、１５            ＩＣカード制御部
２４、２５                  デジタル放送受信端末
Ｓ１０３、Ｓ２０３          自機レスポンス判定ステップ
Ｓ１０６、Ｓ２０６          ＩＣカード情報問合わせステップ（送受信ステップ）
Ｓ１０７、Ｓ２０７          他機レスポンス判定ステップ（視聴制御ステップ）
Ｓ１１０、Ｓ１１１
、Ｓ２１０、Ｓ２１１    ＩＣカード使用状況書き込みステップ
（状態記憶ステップ）
【図２】
2006148481.tif 000003
【図３】
2006148481.tif 000004
【図４】
2006148481.tif 000005
【図５】
2006148481.tif 000006
【図１】
2006148481.tif 000007
【図６】
2006148481.tif 000008